(57)【要約】【目的】  搬送ベルトと研磨ベルトとの間でパチンコ玉を挟持して当該パチンコ玉を揚送する玉揚送装置において、搬送ベルトの汚れを効率よく且つ確実に取り除くことができる玉揚送装置を提供する。【解決手段】  上部押さえローラ２３０は、搬送ベルト１５との当接によって搬送ベルト１５の汚れを吸着する。そして、上部押さえローラ２３０によって吸着された汚れ、即ち上部押さえローラ２３０に付着した汚れは、搬送ベルト１５との当接部分以外となる部分で上部押さえローラ２３０と当接する当接突起部２４０によって削ぎ落とされて除去される。これにより、搬送ベルト１５の外周面に付着した汚れが循環的にパチンコ玉に付着するという不具合を解消することができ、結果として、搬送ベルト１５の汚れを効率よく且つ確実に取り除くことができる。【選択図】        図３４
2010200963.tif 000002
【特許請求の範囲】
【請求項１】
パチンコ島台に形成される玉揚送装置収納部に設置され、且つ、前記パチンコ島台に列設される複数の遊技機に供給するパチンコ玉を、垂直状に立設される断面方形中空状の揚送筒本体の上下の各端部に回転自在に軸支される小径の上部ローラと大径の下部ローラとの間を周回せしめられる無端状の搬送ベルトと、前記揚送筒本体の一側面であって前記搬送ベルトの上昇面と対面するように配置されたガイドレールカバーに設けられる研磨ベルトと、で挟持することによって揚送する玉揚送装置において、
前記上部ローラは、前記搬送ベルトの上昇面側で当該上部ローラの側端部が前記揚送筒本体の一側面とほぼ同一垂直面上となり、前記搬送ベルトの下降面側で当該上部ローラの側端部が前記揚送筒本体の他側面よりも外側に突出した状態となるように前記揚送筒本体に回転自在に軸支され、
前記揚送筒本体の上方部分には、前記上部ローラから周回してくる前記搬送ベルトの下降面を前記揚送筒本体の他側面の内部に納める位置まで押さえ込む上部押さえローラが設けられ、
前記搬送ベルトとの当接部分以外となる部分で前記上部押さえローラと当接するように配置され、且つ前記上部押さえローラの回転動作に伴って前記上部押さえローラに付着した汚れを削ぎ落として除去する当接除去手段と、
該当接除去手段と前記上部押さえローラとの当接部分の下方を覆い、且つ前記当接除去手段と前記上部押さえローラとの当接部分から落下する汚れを収容する汚れ収容空間と、を備えたことを特徴とする玉揚送装置。
【請求項２】
前記当接除去手段は、前記上部押さえローラの回転軸を中心として前記搬送ベルトと前記上部押さえローラとの当接部分とほぼ対称となる位置で前記上部押さえローラと当接するように配置されることを特徴とする請求項１記載の玉揚送装置。
【請求項３】
前記揚送筒本体には、前記上部押さえローラを回転自在に当該揚送筒本体に取り付ける上部押さえローラガイドを備え、
前記当接除去手段は、前記上部押さえローラガイドにおける前記上部押さえローラの外周面と対向する内壁面に突設された当接突起部から構成されることを特徴とする請求項１又は請求項２記載の玉揚送装置。
【請求項４】
前記汚れ収容空間は、前記上部押さえローラガイドに対して着脱自在に設けられる汚れ収容ボックスから構成されることを特徴とする請求項３記載の玉揚送装置。
【請求項５】
前記汚れ収容ボックスは、上面開口を有する横長方形状の筐体からなり、その長手方向における両側面には、それぞれ前記上部押さえローラガイドの両側面の外壁に突設された各ボックス取付突起との係合によって、前記汚れ収容ボックスを前記上部押さえローラガイドに取り付ける係合凹部が穿設されており、前記汚れ収容ボックスの短手方向における一側面には、前記上部押さえローラガイドの前面壁部分との係合により、前記上部押さえローラガイドに対して前記汚れ収容ボックスを位置決め固定する係止突片が設けられていることを特徴とする請求項４記載の玉揚送装置。
【請求項６】
前記当接除去手段は、前記上部押さえローラの回転軸を通る水平方向の延長線上の位置で前記上部押さえローラと当接するように配置され、前記汚れ収容ボックスを前記上部押さえローラガイドに取り付けた状態で、前記汚れ収容ボックスの短手方向における他側面となる前記搬送ベルトと対向する側の壁面は、前記上部押さえローラの回転軸よりも前記搬送ベルト寄りに配置されると共に、前記上部押さえローラとの間で隙間を設けて配置されることを特徴とする請求項４又は請求項５記載の玉揚送装置。
【発明の詳細な説明】
【技術分野】
【０００１】
本発明は、パチンコ島台に形成される玉揚送装置収納部に設置され、且つ、前記パチンコ島台に列設される複数の遊技機に供給するパチンコ玉を、垂直状に立設される断面方形中空状の揚送筒本体の上下の各端部に回転自在に軸支される小径の上部ローラと大径の下部ローラとの間を周回せしめられる無端状の搬送ベルトと、前記揚送筒本体の一側面であって前記搬送ベルトの上昇面と対面するように配置されたガイドレールカバーに設けられる研磨ベルトと、で挟持することによって揚送する玉揚送装置に関するものである。
【背景技術】
【０００２】
従来、一般に、複数の遊技機（例えば、パチンコ機）を列設するパチンコ島台には、パチンコ島台の複数の遊技機に供給するパチンコ玉を揚送する玉揚送装置が設けられている。玉揚送装置は、上部及び下部の各ローラ間を周回せしめられる無端状の搬送ベルトと、研磨ベルトとの間でパチンコ玉を挟持して当該パチンコ玉を揚送すると同時に、研磨ベルトによってパチンコ玉の表面に付着した汚れを研磨して取り除くようになっている。しかしながら、このような構成では、パチンコ玉を揚送する際、パチンコ玉の汚れが搬送ベルト側にも付着してしまい、その汚れが再度パチンコ玉の表面や搬送ベルトを周回せしめるローラ等に付着してしまうという問題を有していた。そこで、特許文献１に開示されているように、搬送ベルトの周回動作に従動して回転する回転ブラシを設けることで、搬送ベルトに付着した汚れを回転ブラシによって取り除くものが提案されている。
【先行技術文献】
【特許文献】
【０００３】
【特許文献１】実開昭５２−１５８６７９号公報（図２）
【発明の概要】
【発明が解決しようとする課題】
【０００４】
ところで、上記特許文献１の構成では、搬送ベルトの上方に回転ブラシを配置し、搬送ベルトに付着した汚れを当該搬送ベルトと回転ブラシとの当接部分で取り除き、この取り除いた汚れを回転ブラシの下方に設けた塵箱内に回収するようになっていた。しかしながら、このような構成では、搬送ベルトと回転ブラシとの当接部分で取り除いた汚れが自然落下によって塵箱内に収まるまでの間に、再度搬送ベルトに付着してしまう虞があり、搬送ベルトの汚れを効率よく且つ確実に取り除く構成とはなっていなかった。
本発明は、上記した事情に鑑みなされたもので、その目的とするところは、搬送ベルトと研磨ベルトとの間でパチンコ玉を挟持して当該パチンコ玉を揚送する玉揚送装置において、搬送ベルトの汚れを効率よく且つ確実に取り除くことができる玉揚送装置を提供することにある。
【課題を解決するための手段】
【０００５】
上記した目的を達成するために、請求項１の発明においては、パチンコ島台に形成される玉揚送装置収納部に設置され、且つ、前記パチンコ島台に列設される複数の遊技機に供給するパチンコ玉を、垂直状に立設される断面方形中空状の揚送筒本体の上下の各端部に回転自在に軸支される小径の上部ローラと大径の下部ローラとの間を周回せしめられる無端状の搬送ベルトと、前記揚送筒本体の一側面であって前記搬送ベルトの上昇面と対面するように配置されたガイドレールカバーに設けられる研磨ベルトと、で挟持することによって揚送する玉揚送装置において、前記上部ローラは、前記搬送ベルトの上昇面側で当該上部ローラの側端部が前記揚送筒本体の一側面とほぼ同一垂直面上となり、前記搬送ベルトの下降面側で当該上部ローラの側端部が前記揚送筒本体の他側面よりも外側に突出した状態となるように前記揚送筒本体に回転自在に軸支され、前記揚送筒本体の上方部分には、前記上部ローラから周回してくる前記搬送ベルトの下降面を前記揚送筒本体の他側面の内部に納める位置まで押さえ込む上部押さえローラが設けられ、前記搬送ベルトとの当接部分以外となる部分で前記上部押さえローラと当接するように配置され、且つ前記上部押さえローラの回転動作に伴って前記上部押さえローラに付着した汚れを削ぎ落として除去する当接除去手段と、該当接除去手段と前記上部押さえローラとの当接部分の下方を覆い、且つ前記当接除去手段と前記上部押さえローラとの当接部分から落下する汚れを収容する汚れ収容空間と、を備えたことを特徴とする。
【０００６】
また、請求項２の発明においては、前記当接除去手段は、前記上部押さえローラの回転軸を中心として前記搬送ベルトと前記上部押さえローラとの当接部分とほぼ対称となる位置で前記上部押さえローラと当接するように配置されることを特徴とする。
【０００７】
また、請求項３の発明においては、前記揚送筒本体には、前記上部押さえローラを回転自在に当該揚送筒本体に取り付ける上部押さえローラガイドを備え、前記当接除去手段は、前記上部押さえローラガイドにおける前記上部押さえローラの外周面と対向する内壁面に突設された当接突起部から構成されることを特徴とする。
【０００８】
また、請求項４の発明においては、前記汚れ収容空間は、前記上部押さえローラガイドに対して着脱自在に設けられる汚れ収容ボックスから構成されることを特徴とする。
【０００９】
また、請求項５の発明においては、前記汚れ収容ボックスは、上面開口を有する横長方形状の筐体からなり、その長手方向における両側面には、それぞれ前記上部押さえローラガイドの両側面の外壁に突設された各ボックス取付突起との係合によって、前記汚れ収容ボックスを前記上部押さえローラガイドに取り付ける係合凹部が穿設されており、前記汚れ収容ボックスの短手方向における一側面には、前記上部押さえローラガイドの前面壁部分との係合により、前記上部押さえローラガイドに対して前記汚れ収容ボックスを位置決め固定する係止突片が設けられていることを特徴とする。
【００１０】
更に、請求項６の発明においては、前記当接除去手段は、前記上部押さえローラの回転軸を通る水平方向の延長線上の位置で前記上部押さえローラと当接するように配置され、前記汚れ収容ボックスを前記上部押さえローラガイドに取り付けた状態で、前記汚れ収容ボックスの短手方向における他側面となる前記搬送ベルトと対向する側の壁面は、前記上部押さえローラの回転軸よりも前記搬送ベルト寄りに配置されると共に、前記上部押さえローラとの間で隙間を設けて配置されることを特徴とする。
【発明の効果】
【００１１】
請求項１の発明においては、上部押さえローラは、搬送ベルトとの当接によって搬送ベルトの汚れを吸着する。そして、上部押さえローラによって吸着された汚れ、即ち上部押さえローラに付着した汚れは、搬送ベルトとの当接部分以外となる部分で上部押さえローラと当接する当接除去手段によって削ぎ落とされて除去される。また、当接除去手段によって削ぎ落とされて落下する汚れは、当接除去手段と上部押さえローラとの当接部分の下方を覆うようにして配置された汚れ収容空間内に収容される。このため、搬送ベルトの外周面に付着した汚れ（例えば、搬送ベルトの上昇面で揚送したパチンコ玉の汚れ等）が循環的にパチンコ玉に付着するという不具合を解消することができ、結果として、搬送ベルトの汚れを効率よく且つ確実に取り除くことができる。また、この構成によれば、上部押さえローラで吸着した汚れを当接除去手段によって削ぎ落とすことで、部品交換や清掃作業等を行うことなく、常に上部押さえローラのローラ外周面を清潔に保つことができる。
【００１２】
また、請求項２の発明においては、上部押さえローラとの当接によって当該上部押さえローラに付着した汚れを削ぎ落として除去する当接除去手段を、上部押さえローラの回転軸を中心として搬送ベルトと上部押さえローラとの当接部分とほぼ対称となる位置に配置する。これにより、上部押さえローラが搬送ベルトの汚れを吸着する位置から最も遠い位置で上部押さえローラに付着した汚れを削ぎ落とすことができるので、削ぎ落とした汚れが再度搬送ベルトに付着してしまうことを確実に回避することができる。
【００１３】
また、請求項３の発明においては、上部押さえローラガイドにおける上部押さえローラの外周面と対向する内壁面に突設した当接突起部から当接除去手段を構成することで、上部押さえローラで吸着した搬送ベルトの汚れを当接除去手段によって削ぎ落とす構成を具現化することができる。
【００１４】
また、請求項４の発明においては、上部押さえローラガイドに対して着脱自在に設けられる汚れ収容ボックスから汚れ収容空間を構成することで、汚れ収容空間（汚れ収容ボックス）内に回収した汚れの取り出し作業が容易に行える。
【００１５】
また、請求項５の発明においては、汚れ収容ボックスの長手方向における両側面に穿設された係合凹部と、上部押さえローラガイドの両側面の外壁に突設されたボックス取付突起との係合及び係合解除によって、汚れ収容ボックスを上部押さえローラガイドに対して着脱自在な構成を具現化することができる。然も、汚れ収容ボックスを上部押さえローラガイドに取り付けた状態で、汚れ収容ボックスの短手方向における一側面に設けられた係止突片が、上部押さえローラガイドの前面壁部分と係合することにより、汚れ収容ボックスを上部押さえローラガイドに対して位置決め固定することができるので、玉揚送装置の揚送駆動中に発生する振動によって汚れ収容ボックスが正規の取り付け位置からズレることを回避できる。
【００１６】
更に、請求項６の発明においては、上部押さえローラの回転軸を通る水平方向の延長線上の位置で上部押さえローラと当接するように当接除去手段を配置する。そして、汚れ収容ボックスの短手方向における他側面となる搬送ベルトと対向する側の壁面を、上部押さえローラの回転軸よりも搬送ベルト寄りに配置する。これにより、当接除去手段と上部押さえローラとの当接部分の下方を覆うように配置された汚れ収容空間（汚れ収容ボックス）を極力搬送ベルト寄りに広げて配置することができるので、当接除去手段と上部押さえローラとの当接部分から落下する汚れをより確実に汚れ収容ボックス内に回収することができる。また、汚れ収容ボックスの短手方向における他側面となる搬送ベルトと対向する側の壁面を、上部押さえローラとの間で隙間を設けて配置することで、上部押さえローラによって吸着された搬送ベルトの汚れが、当接除去手段で削ぎ落とされる前に汚れ収容ボックスの壁面部分で削ぎ落とされてしまい、結果として、汚れ収容ボックス内に回収されなくなる不具合を回避することができる。
【図面の簡単な説明】
【００１７】
【図１】実施形態に係る玉揚送装置が適用されるパチンコ島台の中央部分の一側から見た側面図である。
【図２】搬送ベルトカバーとテンションローラカバーとを取り外した玉揚送装置を示す側面図である。
【図３】搬送ベルトカバーとテンションローラカバーとを取り付けた玉揚送装置を示す側面図である。
【図４】玉揚送装置の下方部分を示す側面図である。
【図５】テンションローラ機構を構成する第一及び第三のテンションローラが搬送ベルトとの当接を解除した状態を示す斜視図である。
【図６】テンションローラ機構を構成する第一及び第三のテンションローラが搬送ベルトと当接した状態を示す斜視図である。
【図７】上部押さえローラと上部押さえローラガイドとを示す斜視図である。
【図８】上部押さえローラを取り外した状態の玉揚送装置の上方部分を示す側面図である。
【図９】上部押さえローラを取り付けた状態の玉揚送装置の上方部分を示す側面図である。
【図１０】図６のＣ−Ｃ線矢視断面図である。
【図１１】変形例１における上部押さえローラガイドと上部押さえローラとを示す斜視図である。
【図１２】変形例１における上部押さえローラガイドを示す斜視図である。
【図１３】同図（Ａ）〜（Ｃ）はそれぞれ変形例１における上部押さえローラと上部押さえローラガイドとによって搬送ベルトの汚れを除去する動作を示す説明図である。
【図１４】変形例２における上部押さえローラガイドと上部押さえローラとを示す斜視図である。
【図１５】変形例２における上部押さえローラガイドを示す斜視図である。
【図１６】変形例３における上部押さえローラ、上部押さえローラガイド、及び汚れ収容ボックスが玉揚送装置に取り付けられた状態と、変形例３における上部押さえローラ、上部押さえローラガイド、及び汚れ収容ボックスを分解した状態とを示す斜視図である。
【図１７】変形例３における上部押さえローラガイド及び汚れ収容ボックスを示す分解斜視図である。
【図１８】変形例３における上部押さえローラ、上部押さえローラガイド、及び汚れ収容ボックスを示す背面斜視図である。
【図１９】変形例３における上部押さえローラガイドから汚れ収容ボックスを取り出した状態を示す背面斜視図である。
【図２０】変形例３における上部押さえローラ、上部押さえローラガイド、及び汚れ収容ボックスを示す一方の側面図である。
【図２１】変形例３における上部押さえローラガイドに取り付けられた汚れ収容ボックスを持ち上げた状態を示す一方の側面図である。
【図２２】同図（Ａ）は変形例３における上部押さえローラ、上部押さえローラガイド、及び汚れ収容ボックスを示す他方の側面図であり、同図（Ｂ）は変形例３における上部押さえローラガイドに取り付けられた汚れ収容ボックスを持ち上げた状態を示す他方の側面図である。
【図２３】他の実施形態に係る回収樋が適用されるパチンコ島台の一側から見た側面図である。
【図２４】他の実施形態に係る回収樋と該回収樋に取り付けられた異物回収装置とを示す斜視図である。
【図２５】他の実施形態に係る異物回収装置の収容ボックスを取付ベースから取り出した状態を示す斜視図である。
【図２６】同図（Ａ）〜（Ｃ）はそれぞれ変形例４における収容ボックス及び取付ベースを示す側面図である。
【図２７】は変形例５における上部押さえローラ、上部押さえローラガイド、及び汚れ収容ボックスが玉揚送装置に取り付けられた状態と、変形例５における上部押さえローラ、上部押さえローラガイド、及び汚れ収容ボックスを分解した状態とを示す斜視図である。
【図２８】変形例５における上部押さえローラガイド及び汚れ収容ボックスを示す分解斜視図である。
【図２９】変形例５における上部押さえローラが上部押さえローラガイドに取り付けられた状態を示す斜視図である。
【図３０】変形例５における上部押さえローラを取り付けた上部押さえローラガイドに汚れ収容ボックスが取り付けられた状態を示す斜視図である。
【図３１】変形例５における上部押さえローラが玉揚送装置に取り付けられた上部押さえローラガイドに取り付けられる状態を示す斜視図である。
【図３２】変形例５における上部押さえローラ、上部押さえローラガイド、及び汚れ収容ボックスが玉揚送装置に取り付けられた状態を示す斜視図である。
【図３３】変形例５における汚れ収容ボックスが上部押さえローラガイドに取り付けられる状態を示す側面図である。
【図３４】変形例５における汚れ収容ボックスと上部押さえローラガイドの当接突起部が当接する上部押さえローラとを示す側面図である。
【発明を実施するための形態】
【００１８】
以下、図面を参照して本発明の実施形態について説明する。まず、図１を参照して、本実施形態に係る玉揚送装置１０が設けられるパチンコ島台１の概略構成について説明する。図１は、実施形態に係るパチンコ島台１の中央部分の一側から見た側面図である。図において、パチンコ島台１は、周知のように、横長の直方体状に枠組み構成され、その長手方向側面中央に遊技機としてのパチンコ機２を背向列設するようになっている。また、パチンコ島台１には、その中央部に揚送装置収納部３が構成され、該揚送装置収納部３内に本実施形態の要部を構成する玉揚送装置１０が収納設置されている。本実施形態に係る玉揚送装置１０は、後に詳述するように帯状の搬送ベルト１５によってパチンコ玉を揚送するものである。なお、詳細に図示しないが、玉揚送装置１０の上部には、揚送されたパチンコ玉を一時的に貯留する上部タンクが設けられ、その上部タンクから左右に補給樋４が傾斜状に設けられており、上部タンクからパチンコ玉を流下させるようになっている。補給樋４には、各パチンコ機２に対応して分配シュートが設けられ、補給樋４を流下するパチンコ玉を取り込むようになっている。分配シュートによって取り込まれたパチンコ玉は、下部に設けられる計数装置によって計数された後、パチンコ機２の背面上部に設けられる賞球タンクに供給され、遊技によって遊技者に払い出される賞球として使用される。
【００１９】
一方、各パチンコ機２から排出される使用済玉は、周知のように計数機能を有するアウト玉回収箱から下方に排出される。アウト玉回収箱から排出されたパチンコ玉は、回収樋５や貯留タンク６を介して玉揚送装置１０の導入樋１６に誘導される。
【００２０】
次に、本実施形態の要部を構成する玉揚送装置１０の全体の構成について図２乃至図１０を参照して説明する。図２は、搬送ベルトカバー７０とテンションローラカバー４８とを取り外した玉揚送装置１０を示す側面図であり、図３は、搬送ベルトカバー７０とテンションローラカバー４８とを取り付けた玉揚送装置１０を示す側面図であり、図４は、玉揚送装置１０の下方部分を示す側面図であり、図５は、テンションローラ機構を構成する第一及び第三のテンションローラ３１，３３が搬送ベルト１５との当接を解除した状態を示す斜視図であり、図６は、テンションローラ機構を構成する第一及び第三のテンションローラ３１，３３が搬送ベルト１５と当接した状態を示す斜視図であり、図７は、上部押さえローラ６０と上部押さえローラガイド６３とを示す斜視図であり、図８は、上部押さえローラ６０を取り外した状態の玉揚送装置１０の上方部分を示す側面図であり、図９は、上部押さえローラ６０を取り付けた状態の玉揚送装置１０の上方部分を示す側面図であり、図１０は、図６のＣ−Ｃ線矢視断面図である。
【００２１】
図２及び図３において、玉揚送装置１０は、支持台１１の上部に上端から下端に亘ってほぼ断面コの字状、言い換えれば断面方形中空状（図１０参照）をなす揚送筒本体１２が垂直状に立設され、揚送筒本体１２の周囲を下部に支持される大径の下部ローラ１３と小径の上部ローラ１４との間に掛け渡される革製で且つ無端状の搬送ベルト１５が周回するようになっている。この搬送ベルト１５の周回駆動は、支持台１１に固着されるモータ取付台２７に載置固定されるモータ２８と下部ローラ１３とがＶベルト２９（図５及び図６参照）によって連結されることによって行われる。なお、搬送ベルト１５は、図２及び図３中において、反時計方向に周回するようになっており、以下の説明では、上昇する側となる同図中の右側の搬送ベルト１５の部分を搬送ベルト１５の上昇面といい、下降する側となる同図中の左側の搬送ベルト１５の部分を搬送ベルト１５の下降面という。また、搬送ベルト１５に張力を付与するためのテンションローラ機構が下部ローラ１３の上部の揚送筒本体１２に取り付けられている。そして、揚送筒本体１２の下部には、玉磨き前のパチンコ玉が流入して複数列に整列せしめられる導入樋１６が接続され、揚送筒本体１２の上部には、玉磨き後のパチンコ玉が排出される上部屈曲樋１８及び排出樋１９が接続されている。また、上部ローラ１４は、搬送ベルト１５の上昇面側で当該上部ローラ１４の側端部が揚送筒本体１２の一側面とほぼ同一垂直面上となり、搬送ベルト１５の下降面側で当該上部ローラ１４の側端部が揚送筒本体１２の他側面よりも外側に突出した状態となるように揚送筒本体１２に回転自在に軸支されている。
【００２２】
従って、導入樋１６から流入したパチンコ玉は、搬送ベルト１５によって揚送され、排出樋１９から排出されるが、その揚送される過程で後述するガイドレールカバー２０に周設される研磨ベルト２６との摩擦力によってパチンコ玉に付着した汚れが拭き取られ、排出樋１９からは、奇麗にされたパチンコ玉が排出されることになる。なお、揚送筒本体１２の内部には、ほぼ等間隔に複数の内部案内ローラ５０が回転自在に軸支して設けられている。そして、この内部案内ローラ５０の一側端部（研磨ベルト２６と対面する側）が揚送筒本体１２に形成された長方形状の臨設窓５１（図１０参照）に臨んで搬送ベルト１５の上昇面に当接して従動することにより、搬送ベルト１５の周回動作を案内するようになっている。また、導入樋１６には、導入樋１６の傾斜角を調整する傾斜角調整ボルト１７が設けられている。この傾斜角調整ボルト１７には、スプリングが周設されており、内部を流れる玉によって導入樋１６に無理な力が加わったときでも玉がスムーズに整列されるような構造となっている。
【００２３】
一方、前記した揚送筒本体１２の背面側（搬送ベルト１５の上昇面と対面する一側面）には、ガイドレールカバー２０が着脱自在に取り付けられるようになっている。このガイドレールカバー２０は、前記搬送ベルト１５や研磨ベルト２６を玉揚送装置１０に装着する際に取り外されるものであると共に、研磨ベルト２６自体がガイドレールカバー２０を周回するように装着される。そして、搬送ベルト１５や研磨ベルト２６が装着された時には、止め金具２５によってガイドレールカバー２０を揚送筒本体１２に対面させた状態に維持される。ただし、揚送筒本体１２とガイドレールカバー２０との間には、隙間が形成されることとなるが、この隙間は、止め金具２５の固着位置を調節することによってその寸法を設定することができ、その設定値に応じて揚送されるパチンコ玉への圧力を変化させることができる。また、ガイドレールカバー２０には、その背面に使用前のロール状研磨ベルト２６を装着する使用前研磨ベルト装着部２１と使用済の研磨ベルト２６をロール状に巻き取るための使用済研磨ベルト装着部２２とが設けられ、その上端後部に研磨ベルト２６を案内するためのローラ２３が設けられている。
【００２４】
しかして、使用前研磨ベルト装着部２１に装着された研磨ベルト２６は、ガイドレールカバー２０の下端から前面を通ってローラ２３に掛け渡され、その後、使用済研磨ベルト装着部２２に巻き付けられる。そして、そのように研磨ベルト２６を装着した状態で止め金具２５でガイドレールカバー２０を揚送筒本体１２に装着することにより、研磨ベルト２６と搬送ベルト１５の上昇面とを対面させ、搬送ベルト１５を周回動作させることによりパチンコ玉がガイドレールカバー２０の前面に形成される複数の玉通路に嵌り込みながら研磨ベルト２６に汚れをふき取られながら上昇するものである（図１０参照）。なお、営業終了時には、使用前研磨ベルト装着部２１に設けられるチャッキング装置を弛めて研磨ベルト２６が移動し得るようにした状態で、裏面上部の研磨ベルト２６を引っ張って未使用面をガイドレールカバー２０の前面側に位置させるようにし、その引っ張って余った研磨ベルト２６を使用済研磨ベルト装着部２２を巻き付け、前記チャッキング装置を締め付ける。これによって、翌日の研磨に対する準備が終了する。また、この研磨ベルト２６の巻き取り作業は、ガイドレールカバー２０を揚送筒本体１２から取り外した状態で行っても、あるいは取り付けたままの状態でも行うことができるが、新規な研磨ベルト２６を交換する場合には、ガイドレールカバー２０を揚送筒本体１２から取り外す必要がある。
【００２５】
また、上記した玉揚送装置１０の揚送筒本体１２とガイドレールカバー２０とは、揚送筒本体１２の両側面の複数箇所に止着されている止め金具２５によって取り付けられるが、その止め金具２５は、ガイドレールカバー２０の側面から突設される係合突起２４を支持し係合するものであり、止め金具２５と係合突起２４との係合状態を解除してガイドレールカバー２０を揚送筒本体１２に対して取り外すことができる一方、止め金具２５と係合突起２４とを係合状態にしてガイドレールカバー２０を揚送筒本体１２に対して取り付けることができる。
【００２６】
次に、玉揚送装置１０の下方部分に設けられて搬送ベルト１５に張力を付与するテンションローラ機構について、図４乃至図６を参照して説明する。テンションローラ機構は、第一、第二、及び第三の各テンションローラ３１〜３３を回転自在に軸支すると共に前記揚送筒本体１２に固着されて各テンションローラ３１〜３３を玉揚送装置１０の下方部分に取り付ける取付ベース３０を備えている。
【００２７】
取付ベース３０は、前面及び上下面が開放したコ字状の板材によって構成されており、その中程に第二テンションローラ３２が回転自在に軸支されている。即ち、取付ベース３０の中程両側に支持される調節支持杆３４に第二テンションローラ３２の回転軸が連結支持されている。なお、調節支持杆３４は取付ベース３０に貫通自在に設けると共に調節支持杆３４にはスプリング３５が周設され、調節支持杆３２の後端は、取付ベース３０の裏面に突出してナット３６（図２参照）で締着されるようになっている。しかして、ナット３６を弛めて調節支持杆３４を回転せしめることにより第二テンションローラ３２を前後方向に長さ調節し得るようになっており、調節支持杆３４、スプリング３５、及びナット３６は、調節機構を構成するものである。具体的には、調節支持杆３４の取付ベース３０から外側に突出する後端にナット３６を螺着することにより、ナット３６の螺着位置で調節支持杆３４の長さを調節すると共に周設されるスプリング３５で第二テンションローラ３２を常に前方に付勢する。これにより、搬送ベルト１５の旋回中でも常時調節支持杆３４に周設されるスプリング３５により搬送ベルト１５に最適な張力を付与することができる。
【００２８】
また、第二テンションローラ３２の上方に位置する取付ベース３０の部分には、第一テンションローラ３１（テンションローラ）の回転軸の一端を支持する支持片３７が固着されており、第一テンションローラ３１の回転軸の一端が支点ボルト３８を介して支持片３７に回動自在に支持されることで、第一テンションローラ３１は、搬送ベルト１５と当接する状態と搬送ベルト１５との当接を解除する状態との間で移行可能に設けられている。一方、第一テンションローラ３１の回転軸の他端と対応する取付ベース３０の部分には、上下方向の長穴形状をなす固定穴３９を穿設した揺動固定部材４０が支点ボルト４１によって上下方向に揺動自在に取り付けられている。揺動固定部材４０に穿設された固定穴３９は、搬送ベルト１５と当接した状態にある第一テンションローラ３１の回転軸の他端を固定ボルト４２で固定するためのものであり、支点ボルト４１の締結度合を調節することで、第一テンションローラ３１が適当な位置（第一テンションローラ３１の軸心方向が搬送ベルト１５の横幅方向と平行になる位置）で搬送ベルト１５と当接するように揺動固定部材４０（固定穴３９）の上下位置を微調整するようになっている。
【００２９】
また、第二テンションローラ３２の下方に位置する取付ベース３０の部分には、第三テンションローラ３３の回転軸の一端を支持する支持片４３が固着されており、第三テンションローラ３３の回転軸の一端が支点ボルト４４を介して支持片４３に回動自在に支持されることで、第三テンションローラ３３は、第一テンションローラ３１と同様に、搬送ベルト１５と当接する状態と搬送ベルト１５との当接を解除する状態との間で移行可能に設けられている。一方、第三テンションローラ３３の回転軸の他端と対応する取付ベース３０の部分には、固定穴４５を穿設した支持片４６が固着されている。固定穴４５は、搬送ベルト１５と当接した状態にある第三テンションローラ３３の回転軸の他端を固定ボルト４７で固定するためのものである。
【００３０】
しかして、図５に示すように、第一及び第三のテンションローラ３１，３３が搬送ベルト１５との当接を解除した状態で、第二テンションローラ３２の前方に搬送ベルト１５を位置させておき、その状態から、図６に示すように、第一テンションローラ３１の回転軸の他端を固定ボルト４２で固定穴３９に固定すると共に、第三テンションローラ３３の回転軸の他端を固定ボルト４７で固定穴４５に固定することにより、第一及び第三のテンションローラ３１，３３が搬送ベルト１５と当接した状態、言い換えれば、第一及び第三のテンションローラ３１，３３が搬送ベルト１５の下降面を押し込んだ状態となる。これにより、第一乃至第三のテンションローラ３１〜３３が同一垂直線上に並び、搬送ベルト１５が第一乃至第三のテンションローラ３１〜３３に交互に掛け渡されることで、搬送ベルト１５に適度な張力を付与するようになっている。また、このとき、第一テンションローラ３１は、搬送ベルト１５に適度な張力を付与すると共に、玉揚送装置１０の下方部分で搬送ベルト１５（具体的には、研磨ベルト２６の反対側に位置する搬送ベルト１５の下降面）を揚送筒本体１２の他側面の内部に納まった位置まで押さえ込むようになっている。また、第一乃至第三のテンションローラ３１〜３３の外周には、第一乃至第三のテンションローラ３１〜３３を保護するためのテンションローラカバー４８が取り付けられるようになっている（図２乃至図４参照）。
【００３１】
なお、テンションローラ機構（第一、第二、及び第三の各テンションローラ３１〜３３）の下方に配置される下部ローラ１３の下側には、導入樋１６から送り込まれたパチンコ玉を下部ローラ１３に巻き付けられた搬送ベルト１５との間で挟持し、下部ローラ１３の回転によって揚送する下部屈曲樋５２が設けられている。下部屈曲樋５２の後端部には、下部屈曲樋５２によるパチンコ玉の押圧力（搬送ベルト１５との間でパチンコ玉を挟持する力）を調整する押圧力調整ボルト５３が設けられている。この押圧力調整ボルト５３には、スプリングが周設されており、搬送ベルト１５との間で挟持する玉によって下部屈曲樋５２に無理な力が加わったときでも玉がスムーズに揚送されるような構造となっている。
【００３２】
また、テンションローラ機構の前方位置にはモータ取付台２７が配置され、該モータ取付台２７上には、搬送ベルト１５の周回駆動源となるモータ２８が載置固定されている。モータ２８の出力軸には、小径プーリ５４（図２及び図３参照）が固着され、この小径プーリ５４と下部ローラ１３の回転軸に固着される大径プーリ５５との間にＶベルト２９を掛け渡すことにより、モータ２８の回転駆動力が下部ローラ１３に伝達されて搬送ベルト１５が揚送筒本体１２を周回するようになっている。なお、Ｖベルト２９の外周には、Ｖベルト２９を保護するためのＶベルトカバー５６が取り付けられている。また、モータ２８は、取付板５７を介してモータ取付台２７上にボルト固定されるものであり、取付板５７の一端部分には、モータ取付台２７に対する取付板５７（モータ２８）の取付位置を微調整するための調整ボルト５８が設けられている。そして、この調整ボルト５８の締結度合を調節することで、モータ２８の出力軸の軸心方向が下部ローラ１３の回転軸の軸心方向と一致するように取付板５７（モータ２８）の取付位置を微調整するようになっている。
【００３３】
また、上記したテンションローラ機構（第一、第二、及び第三の各テンションローラ３１〜３３）、下部ローラ１３、及びモータ２８は、それぞれ支持台１１上に据え付けられた構造（据え付け構造体）となっており、支持台１１上に立設される揚送筒本体１２は、このような据え付け構造体とのジョイント構造によって取り付けられるようになっている。このため、玉揚送装置１０の高さを変更する場合には、玉揚送装置１０の下方部分に設けられるテンションローラ機構（第一、第二、及び第三の各テンションローラ３１〜３３）、下部ローラ１３、及びモータ２８はそのまま残して、高さ寸法が異なった揚送筒本体１２に取り換えるだけでよい。
【００３４】
ところで、本実施形態に係る玉揚送装置１０の上方部分には、図７に示すような上部押さえローラ６０が長板形状をなす左右一対の上部押さえローラガイド６３を介して取り付けられるようになっている。上部押さえローラ６０は、玉揚送装置１０の上方部分で搬送ベルト１５を押さえ込むためのものである。上部押さえローラ６０の軸心方向には、左右一対の回転軸６１が一体的に設けられ、該回転軸６１の先端側には、上部押さえローラガイド６３の板厚とほぼ同一幅の嵌合凹部６２が形成されている。上部押さえローラガイド６３は、ほぼ長方形状の平板からなり、その一端側には、当該上部押さえローラガイド６３を揚送筒本体１２の側面にボルト６８（図８及び図９参照）で固定するための取付穴６４が２箇所に穿設されている。一方、上部押さえローラガイド６３の他端側には、上部押さえローラ６０を回転自在に軸支するためのローラ軸支部６５が穿設されている。ローラ軸支部６５は、上部押さえローラ６０で搬送ベルト１５を押圧しながら回転軸６１を斜め上方から導入するための傾斜導入部６６と、該傾斜導入部６６の下端と連通して形成され、且つ搬送ベルト１５の反発力で回転軸６１の嵌合凹部６２と嵌合する軸支凹部６７と、から構成されている。なお、軸支凹部６７は、傾斜導入部６６の下端部分において、上部押さえローラガイド６３の他端方向（取付穴６４が穿設された方向とは逆の方向）へ突出する半円の凹形状に形成されており、上部押さえローラ６０は、搬送ベルト１５の反発力に抗して回転軸６１を軸支凹部６７との嵌合状態から解除することにより、搬送ベルト１５によって押圧されて傾斜導入部６６から取り外しが可能となっている。
【００３５】
次に、上記した上部押さえローラガイド６３を介した上部押さえローラ６０の取り付け構造、及び上部押さえローラ６０による搬送ベルト１５の押さえ込み構造について、図８乃至図１０を参照して説明する。
【００３６】
図８に示すように、左右一対の上部押さえローラガイド６３は、玉揚送装置１０の上方部分（具体的には、図１に示すように、玉揚送装置１０の上部に設けられる上部タンク等、パチンコ島台１の島台本体から上方に突出した部分を被覆する筐体形状のカバー体７内に位置する部分）となる揚送筒本体１２の両側面にそれぞれボルト６８で固定される（図８中には、揚送筒本体１２の一側面に固定された上部押さえローラガイド６３のみを図示）。このとき、上部押さえローラガイド６３のローラ軸支部６５は、揚送筒本体１２の前面側（研磨ベルト２６側と反対になる側）から突出する位置に配置される。そして、図９に示すように、上部押さえローラ６０のローラ外周面で搬送ベルト１５をＡ方向に押し込みながら、上部押さえローラ６０の回転軸６１をローラ軸支部６５の傾斜導入部６６に導入し、最終的に、搬送ベルト１５の張力によって上部押さえローラ６０がＡ方向の反対方向となるＢ方向へ押し戻されることで回転軸６１の嵌合凹部６２がローラ軸支部６５の軸支凹部６７に嵌合されて、上部押さえローラ６０が上部押さえローラガイド６３に軸支される。これにより、研磨ベルト２６の反対側に位置する搬送ベルト１５の下降面は、図１０にも示すように、玉揚送装置１０の上方部分で上部押さえローラ６０によって図９中に二点鎖線で示す状態から実線で示す状態、言い換えれば、揚送筒本体１２の前方にはみ出た状態から揚送筒本体１２の他側面の内部に納まった状態に押さえ込まれる。
【００３７】
従って、研磨ベルト２６の反対側に位置する搬送ベルト１５の下降面は、玉揚送装置１０の上方部分に設けられる上部押さえローラ６０によって揚送筒本体１２の他側面の内部に納まった位置に押さえ込まれると共に、前述した玉揚送装置１０の下方部分に設けられる第一テンションローラ３１によっても同様に、揚送筒本体１２の他側面の内部に納まった位置に押さえ込まれるようになっている。このため、上部押さえローラ６０と第一テンションローラ３１との間に位置する搬送ベルト１５の下降面は、揚送筒本体１２からはみ出ることなく揚送筒本体１２の他側面の内部に納まった状態で玉揚送装置１０に装着されることになり、玉揚送装置１０全体としてスリム化することができる。また、このような玉揚送装置１０のスリム化に伴い、玉揚送装置１０が設置されるパチンコ島台１において、玉揚送装置収納部３の横幅寸法を狭めることができる（本実施形態の玉揚送装置収納部３を示す図１と、従来例の玉揚送装置収納部１０１を示す図１６とを比較参照）。これにより、図１中に二点鎖線で示す従来でのパチンコ機２の設置スペースを、同図中に実線で示す本実施形態でのパチンコ機２の設置スペースに広げられる等、パチンコ島台１内に設けられる設備機器の設置スペースを広くとることができる。
【００３８】
なお、上記した上部押さえローラ６０及び第一テンションローラ３１は、搬送ベルト１５の下降面を内部案内ローラ５０と当接する位置まで押さえ込むようになっている（図９参照）。即ち、搬送ベルト１５の上昇面と下降面とがそれぞれ内部案内ローラ５０と当接するようになっている。一般的に、上部ローラ及び下部ローラ間に架け渡される搬送ベルトは、周回するときの負荷状況等（例えば、揚送するパチンコ玉の有無、上部ローラ及び下部ローラの取付調節等）に応じて周回動作時にブレ（振動）が発生し、このブレによって搬送ベルト自体が反復運動して次第に横ズレする。しかしながら、本実施形態では、搬送ベルト１５の上昇面と下降面とがそれぞれ内部案内ローラ５０と当接することで、搬送ベルト１５自体のブレ（振動）による反復運動を抑えることができ、結果として、搬送ベルト１５の横ズレを回避するようになっている。
【００３９】
また、揚送筒本体１２の他側面の内部に納まった搬送ベルト１５の前方には、搬送ベルトカバー７０が取り付けられるようになっている。搬送ベルトカバー７０は、縦長の板形状をなし、断面コの字状に形成された揚送筒本体１２の前側開口部分にボルト６９で着脱自在に取り付けられる（図９及び図１０参照）。そして、搬送ベルトカバー７０は、揚送筒本体１２への装着状態において、揚送筒本体１２の他側面の内部となる断面コの字状の内部空間に収納された搬送ベルト１５の下降面を被覆することで、搬送ベルト１５が他の構成部材（例えば、パチンコ島台１内に設けられる配線等）と接触しないように保護するようになっている。
【００４０】
また、上記したようにスリム化された玉揚送装置１０の最下端の底壁基板をなす支持台１１には、玉揚送装置１０の移動を容易にする移動ローラ７１が取り付けられており、揚送筒本体１２の側面には、ほぼ真ん中ぐらいの高さ位置に取っ手部７２が一体的に取り付けられている。これにより、玉揚送装置１０のスリム化に伴って玉揚送装置収納部３の横幅寸法を狭めた本実施形態の構成においても、玉揚送装置収納部３に玉揚送装置１０を容易に設置することができると共に、メンテナンス等での玉揚送装置１０の取り出し作業が容易にできる。
【００４１】
ところで、モータ２８の駆動に基づいて上部ローラ１４及び下部ローラ１３間で周回せしめられる搬送ベルト１５は、パチンコ玉を揚送する際、当該揚送するパチンコ玉の汚れが少なからず外周面に付着する。そこで、玉揚送装置の上方部分で搬送ベルトを押さえ込む本発明の上部押さえローラ及び上部押さえローラガイドに対して、搬送ベルトの汚れを除去する機能を持たせることで、搬送ベルトの外周面を清掃するようにしてもよい。以下、このように搬送ベルトの外周面を清掃する上部押さえローラ及び上部押さえローラガイドの構成を変形例１〜３として説明する。なお、以下の説明では、前述した実施形態と同様の機能を有する構成部材については便宜的に同一の符号を付すと共にその詳細な説明を省略する。
【００４２】
先ず、図１１乃至図１３を参照して、変形例１の上部押さえローラ１３０及び上部押さえローラガイド１３１について説明する。図１１は、変形例１における上部押さえローラ１３０と上部押さえローラガイド１３１とを示す斜視図であり、図１２は、変形例１における上部押さえローラガイド１３１を示す斜視図であり、図１３（Ａ）〜（Ｃ）は、それぞれ変形例１における上部押さえローラ１３０と上部押さえローラガイド１３１とによって搬送ベルト１５の汚れを除去する動作を示す説明図である。
【００４３】
図１１及び図１２に示すように、変形例１の上部押さえローラガイド１３１は、筐体形状のガイド本体１３２を備えている。ガイド本体１３２は、上面開口１３３を有する横長方形状の筐体形状に形成され、該横長方形状における長手方向の両側端面には、それぞれ上部押さえローラ１３０の後述する回転軸１４１を軸止するための軸止穴１３４が穿設されている。また、ガイド本体１３２の長手方向の両側端には、それぞれ上部押さえローラガイド１３１を揚送筒本体１２の両側面にボルト固定するための取付穴１３６を２箇所に穿設した取付片部１３５が延設されている。そして、ガイド本体１３２の前端側（取付片部１３６が延設される側の反対側）の内壁面には、搬送ベルト１５を押さえ込んだ状態の上部押さえローラ１３０の外周面と当接する当接除去手段としての当接突起部１３７が上部押さえローラ１３０の全長に亘って設けられている。なお、ガイド本体１３２の軸止穴１３４は、上部押さえローラガイド１３１に対する上部押さえローラ１３０（回転軸１４１）の取付位置を微調整（上部押さえローラ１３０が当接突起部１３７と当接する位置に調整）するために横長の長穴形状に形成されている。
【００４４】
一方、変形例１の上部押さえローラ１３０は、ローラ本体１４０に対して左右一対の回転軸１４１が着脱自在に取り付けられるようになっている。回転軸１４１は、一端側に雄ネジ部（図示しない）が形成される一方、他端側に六角頭部１４２が形成された六角ボルトから構成されている。ローラ本体１４０は、左右の回転軸１４１（雄ネジ部）を両端部分に個々に取り付ける雌ネジ穴１４４が穿設された軸心部材１４３と、該軸心部材１４３の外周部分にベアリング機構（図示しない）を介して回転自在に設けられるローラ外周面部１４５とから構成されている。なお、ローラ外周面部１４５は、汚れの吸着性に優れた材料から形成されている。
【００４５】
しかして、上記した上部押さえローラガイド１３１は、取付片部１３５（取付穴１３６）が揚送筒本体１２の両側面にボルト固定によって取り付けられ、当該上部押さえローラガイド１３１に上部押さえローラ１３０が取り付けられる。上部押さえローラ１３０の取付方法としては、搬送ベルト１５を押圧しながらローラ本体１４０を上部押さえローラガイド１３１のガイド本体１３２内に入れ込み、この状態から、左右の回転軸１４１をそれぞれガイド本体１３２の軸止穴１３４を通して軸心部材１４３の雌ネジ穴１４４に螺着して固定する。これにより、上部押さえローラ１３０は、軸心部材１４３が回転軸１４１と一体的に上部押さえローラガイド１３１に固定される。また、軸心部材１４３に対して回転自在に設けられたローラ外周面部１４５は、図１３（Ａ）に示すように、搬送ベルト１５を押圧する共に、該搬送ベルト１５を押圧した部分とは反対側となる外周部分に当接突起部１３７が当接された状態でガイド本体１３２内に取り付けられる。なお、上部押さえローラ１３０及び上部押さえローラガイド１３１の取付方法としては、先に上部押さえローラ１３０を上部押さえローラガイド１３１に取り付けた後、この状態で上部押さえローラガイド１３１を揚送筒本体１２に取り付けるようにしてもよい。
【００４６】
そして、上部押さえローラガイド１３０のローラ外周面部１４５は、図１３（Ｂ）に示すように、搬送ベルト１５の周回に伴って回転軸１４１（軸心部材１４３）を中心としてＤ方向（図１３中に示す反時計方向）に回転し、この回転動作中にその優れた吸着性能により搬送ベルト１５の外周面に付着したパチンコ玉の汚れＹを吸着して、搬送ベルト１５の汚れＹを除去する。その後、ローラ外周面部１４５に吸着された汚れＹは、図１３（Ｃ）に示すように、ローラ外周面部１４５のＤ方向への回転に伴い、当該ローラ外周面部１４５と当接するガイド本体１３２内の当接突起部１３７によって削ぎ落とされ、最終的に、筐体形状をなすガイド本体１３２内の底壁部分に回収される。また、ガイド本体１３２内に回収された汚れＹは、玉揚送装置１０のメンテナンス時等に、上部押さえローラ１３０を上部押さえローラガイド１３１から取り外したり、あるいは上部押さえローラガイド１３１を揚送筒本体１２から取り外すことでガイド本体１３２内から取り出される。
【００４７】
なお、上記した変形例１では、上部押さえローラ１３０を、軸心部材１４３と該軸心部材１４３の外周部分にベアリング機構を介して回転自在に設けられるローラ外周面部１４５とから構成することで、上部押さえローラ１３０の回転軸１４１を上部押さえローラガイド１３１に固定する構造としているが、このような回転軸の固定構造に限定するものではない。例えば、図１４及び図１５に示す変形例２の上部押さえローラ１５０及び上部押さえローラガイド１５１の構成としてもよい。図１４は、変形例２における上部押さえローラ１５０と上部押さえローラガイド１５１とを示す斜視図であり、図１５は、変形例２における上部押さえローラガイド１５１を示す斜視図である。
【００４８】
図１４及び図１５に示すように、変形例２の上部押さえローラ１５０は、その軸心方向に左右一対の回転軸１５２が一体的に設けられ、該回転軸１５２の先端には、軸頭部１５３が形成されている。また、上部押さえローラ１５０のローラ外周面は、変形例１の上部押さえローラ１３０と同様に、汚れの吸着性に優れた材料から形成されている。一方、変形例２の上部押さえローラガイド１５１は、変形例１の上部押さえローラガイド１５１と同様に、上面開口１５５を有する横長方形状の筐体からなるガイド本体１５４を備えている。ガイド本体１５４の長手方向の両側端面には、それぞれ上部押さえローラ１５０の回転軸１５２を回転自在に軸支するためのローラ軸支部１５６が穿設されている。ローラ軸支部１５６は、上部押さえローラ１５０が搬送ベルト１５を押圧した状態で回転軸１５２を斜め上方から導入するための傾斜導入部１５７と、該傾斜導入部１５７の下端と連通して形成されると共に回転軸１５２と嵌合することで上部押さえローラ１５０を回転自在に軸支する軸支凹部１５８と、から構成されている。なお、上部押さえローラ１５０は、回転軸１５２が軸支凹部１５８との嵌合状態を解除することで、搬送ベルト１５によって押圧されて傾斜導入部１５７から取り外しが可能となっている。
【００４９】
また、ガイド本体１５４の長手方向の両側端には、それぞれ上部押さえローラガイド１５１を揚送筒本体１２の両側面にボルト固定するための取付穴１６０を２箇所に穿設した取付片部１５９が延設されている。そして、ガイド本体１５４の前端側（取付片部１５９が延設される側の反対側）の内壁面には、変形例１の上部押さえローラガイド１５１と同様に、搬送ベルト１５を押さえ込んだ状態の上部押さえローラ１５０の外周面と当接する当接突起部１６１が上部押さえローラ１５０の全長に亘って設けられている。
【００５０】
しかして、上記した上部押さえローラガイド１５１は、取付片部１５９（取付穴１６０）が揚送筒本体１２の両側面にボルト固定によって取り付けられ、当該上部押さえローラガイド１５１に上部押さえローラ１５０が取り付けられる。上部押さえローラ１５０の取付方法としては、上部押さえローラ１５０のローラ外周面で搬送ベルト１５を押し込みながら、上部押さえローラ１５０の回転軸１５２をローラ軸支部１５６の傾斜導入部１５７に導入し、最終的に、搬送ベルト１５の張力によって上部押さえローラ１５０が押し戻されることで回転軸１５２がローラ軸支部１５６の軸支凹部１５８に嵌合されて、上部押さえローラ１５０が上部押さえローラガイド１５１に軸支される。
【００５１】
そして、上部押さえローラガイド１５０のローラ外周面は、搬送ベルト１５の周回に伴って回転軸１５２を中心に回転し、この回転動作中にその優れた吸着性能により搬送ベルト１５の外周面に付着したパチンコ玉の汚れを吸着して、搬送ベルト１５の汚れを除去する。その後、上部押さえローラガイド１５０のローラ外周面に吸着された汚れは、上部押さえローラガイド１５０の回転に伴い、ガイド本体１５４内の当接突起部１６１によって削ぎ落とされ、最終的に、筐体形状をなすガイド本体１５４内の底壁部分に回収される。また、ガイド本体１５４内に回収された汚れは、玉揚送装置１０のメンテナンス時等に、上部押さえローラ１５０を上部押さえローラガイド１５１から取り外すことでガイド本体１５４内から取り出される。
【００５２】
なお、上記した変形例１，２では、上部押さえローラ及び上部押さえローラガイドによって除去した搬送ベルトの汚れを上部押さえローラガイドのガイド本体内に回収し、玉揚送装置１０のメンテナンス時等に、上部押さえローラ又は上部押さえローラガイドを取り外すことで、ガイド本体内から除去した搬送ベルトの汚れを取り出す構成としているが、これに限らず、汚れの収容部分のみを上部押さえローラガイドから取り外し可能にして、汚れの取り出し作業を容易にしてもよい。以下、この構成を変形例３の上部押さえローラ１７０及び上部押さえローラガイド１７１（異物回収装置）として、図１６乃至図２２を参照して説明する。図１６は、変形例３における上部押さえローラ１７０、上部押さえローラガイド１７１、及び汚れ収容ボックス１９０が玉揚送装置１０に取り付けられた状態と、変形例３における上部押さえローラ１７０、上部押さえローラガイド１７１、及び汚れ収容ボックス１９０を分解した状態とを示す斜視図であり、図１７は、変形例３における上部押さえローラガイド１７１及び汚れ収容ボックス１９０を示す分解斜視図であり、図１８は、変形例３における上部押さえローラ１７０、上部押さえローラガイド１７１、及び汚れ収容ボックス１９０を示す背面斜視図であり、図１９は、変形例３における上部押さえローラガイド１７１から汚れ収容ボックス１９０を取り出した状態を示す背面斜視図であり、図２０は、変形例３における上部押さえローラ１７０、上部押さえローラガイド１７１、及び汚れ収容ボックス１９０を示す一方の側面図であり、図２１は、変形例３における上部押さえローラガイド１７１に取り付けられた汚れ収容ボックス１９０を持ち上げた状態を示す一方の側面図であり、図２２（Ａ）は、変形例３における上部押さえローラ１７０、上部押さえローラガイド１７１、及び汚れ収容ボックス１９０を示す他方の側面図であり、図２２（Ｂ）は、変形例３における上部押さえローラガイド１７１に取り付けられた汚れ収容ボックス１９０を持ち上げた状態を示す他方の側面図である。
【００５３】
図１６に示すように、変形例３の上部押さえローラ１７０は、前述した変形例２の上部押さえローラ１５０と同様に、その軸心方向に左右一対の回転軸１７２が一体的に設けられ、該回転軸１７２の先端には、軸頭部１７３が形成されている。また、上部押さえローラ１７０のローラ外周面は、変形例１，２の上部押さえローラ１３０，１５０と同様に、汚れの吸着性に優れた材料から形成されている。一方、変形例３の上部押さえローラガイド１７１（取付ベース）は、図１７に示すように、金属製の平板が上面視でコの字状に折曲形成されたガイド本体１７４を備えている。コの字状をなすガイド本体１７４の両側面には、それぞれ上部押さえローラ１７０の回転軸１７２を回転自在に軸支するためのローラ軸支部１７５が穿設されている。ローラ軸支部１７５は、上部押さえローラ１７０が搬送ベルト１５を押圧した状態で回転軸１７２を上方から導入するための導入部１７６と、該導入部１７６の下端と連通して形成されると共に回転軸１７２と嵌合することで上部押さえローラ１７０を回転自在に軸支する軸支凹部１７７と、から構成されている。なお、上部押さえローラ１７０は、回転軸１７２が軸支凹部１７７との嵌合状態を解除することで、搬送ベルト１５によって押圧されて導入部１７６から取り外しが可能となっている。
【００５４】
ガイド本体１７４側面の各端部には、それぞれ上部押さえローラガイド１７１を揚送筒本体１２の両側面にボルト１７８で固定するための取付穴１７９が２箇所に穿設されている。ガイド本体１７４前面の内壁には、搬送ベルト１５を押さえ込んだ状態の上部押さえローラ１７０の外周面と当接する当接突起部１８０が上部押さえローラ１７０の全長に亘って設けられている。また、ガイド本体１７４前面の下端部分には、後で詳述する汚れ収容ボックス１９０を着脱自在に収納するためのボックス収納部１８１が一体的に形成されている。ボックス収納部１８１は、ガイド本体１７４の前面下端に延設された部分がコの字状に折曲形成されてなる貫通孔から構成され、その貫通孔の両端部分がそれぞれ汚れ収容ボックス１９０を取り付けるための取付開口１８２を形成している。即ち、汚れ収容ボックス１９０は、左右両側端のいずれの取付開口１８２からもスライド挿入が可能であり、この取付開口１８２からのスライド挿入によってボックス収納部１８１内に収納されるようになっている。
【００５５】
なお、ボックス収納部１８１を構成する貫通孔は、上部押さえローラガイド１７１（ガイド本体１７４）が取り付けられる玉揚送装置１０のパチンコ島台１（揚送装置収納部３）内での設置の向きにより、パチンコ島台１の両側面（複数のパチンコ機２が列設される２つの面）とほぼ直交する方向に貫通した状態で配置される。このため、設置やメンテナンス等で玉揚送装置１０をパチンコ島台１の揚送装置収納部３に対して出し入れするための開閉扉（図示しない）が開放された状態では、ボックス収納部１８１の取付開口１８２が真っ直ぐに対向して配されるので、ボックス収納部１８１に対する汚れ収容ボックス１９０の出し入れ作業が容易に行えるようになっている。
【００５６】
図１８及び図１９に示すように、ボックス収納部１８１の底面には、左右両側端の取付開口１８２からそれぞれ中央部分に向けて切り込まれた左右の底面切込部１８３が穿設されており、該底面切込部１８３の先端部分は、汚れ収容ボックス１９０の後述する係合凸部１９４と係合することで、汚れ収容ボックス１９０をボックス収納部１８１内に固定する係合固定部１８４（ボックス固定手段）として形成されている。また、底面切込部１８３は、ボックス収納部１８１内に収納された汚れ収容ボックス１９０の底面を持ち上げるための切り込み部分としても機能するようになっており、このような底面の持ち上げによって係合凸部１９４と係合固定部１８４との係合状態を解除するようになっている。
【００５７】
また、変形例３における上部押さえローラガイド１７１には、除去した搬送ベルト１５の汚れを収容するための汚れ収容ボックス１９０（収容ボックス）がガイド本体１７４のボックス収納部１８１に対して着脱自在に取り付けられるようになっている。汚れ収容ボックス１９０は、上面開口を有する横長方形状の筐体からなり、その長手方向における一方の側面１９１（以下、これを規制側面１９１という）には、当該側面１９１の左右両側端からそれぞれ若干突出して形成されたスライド規制凸部１９２（スライド規制手段）が設けられている。このスライド規制凸部１９２は、汚れ収容ボックス１９０の長手方向における他方の側面１９３（以下、これを挿入側面１９３という）をボックス収納部１８１の取付開口１８２からスライド挿入して取り付ける際、取付開口１８２の左右両側端部分（外周端部分）と当接係合することで汚れ収容ボックス１９０のスライド挿入を規制し、汚れ収容ボックス１９０をボックス収納部１８１内の所定位置に収納させるようになっている。また、汚れ収容ボックス１９０の底面外壁には、ボックス収納部１８１の係合固定部１８４と係合することで、汚れ収容ボックス１９０をボックス収納部１８１内に固定する係合凸部１９４（ボックス固定手段）が突設されている。
【００５８】
なお、図２０及び図２２（Ａ）に示すように、ボックス収納部１８１の高さ寸法Ｈ１は、汚れ収容ボックス１９０の高さ寸法Ｈ２に比べて若干大きい値に設定されている。言い換えれば、汚れ収容ボックス１９０をボックス収納部１８１内に収納した状態で、汚れ収容ボックス１９０とボックス収納部１８１との間には、若干の隙間Ｈ３（＝Ｈ１−Ｈ２）が設けられるようになっている。このため、ボックス収納部１８１内の汚れ収容ボックス１９０の収納状態において、前述した底面切込部１８３を通して汚れ収容ボックス１９０の底面が隙間Ｈ３分だけ持ち上げられるようになっている。但し、隙間Ｈ３の値は、汚れ収容ボックス１９０の底面を持ち上げた状態で係合凸部１９４と係合固定部１８４との係合が解除可能なように、係合凸部１９４の高さ寸法よりも大きい値に設定されている。
【００５９】
しかして、変形例３の上部押さえローラガイド１７１は、ガイド本体１７４の取付穴１７９が揚送筒本体１２の両側面にボルト１７８の固定によって取り付けられ、当該上部押さえローラガイド１７１に上部押さえローラ１７０が取り付けられる。上部押さえローラ１７０の取付方法としては、上部押さえローラ１７０のローラ外周面で搬送ベルト１５を押し込みながら、上部押さえローラ１７０の回転軸１７２をローラ軸支部１７５の導入部１７６に導入し、最終的に、搬送ベルト１５の張力によって上部押さえローラ１７０が押し戻されることで回転軸１７２がローラ軸支部１７５の軸支凹部１７７に嵌合されて、上部押さえローラ１７０が上部押さえローラガイド１７１に軸支される。また、上部押さえローラガイド１７１のガイド本体１７４（ボックス収納部１８１）には、汚れ収容ボックス１９０が収納される。
【００６０】
そして、上部押さえローラ１７０のローラ外周面は、搬送ベルト１５の周回に伴って回転軸１７２を中心に回転し、この回転動作中にその優れた吸着性能により搬送ベルト１５の外周面に付着したパチンコ玉の汚れを吸着して、搬送ベルト１５の汚れを除去する。その後、上部押さえローラ１７０のローラ外周面に吸着された汚れは、上部押さえローラ１７０の回転に伴い、ガイド本体１７４内の当接突起部１６１によって削ぎ落とされ、最終的に、ガイド本体１７４に収納される汚れ収容ボックス１９０内に回収される。また、汚れ収容ボックス１９０に回収された汚れは、玉揚送装置１０のメンテナンス時等に、汚れ収容ボックス１９０をガイド本体１７４から取り外すことで汚れ収容ボックス１９０内から取り出される。
【００６１】
ここで、汚れ収容ボックス１９０の着脱方法について説明する。先ず、汚れ収容ボックス１９０をガイド本体１７４のボックス収納部１８１内に収納する場合は、汚れ収容ボックス１９０の挿入側面１９３をボックス収納部１８１の左右の取付開口１８２のうちいずれか一方からスライド挿入する。これにより、汚れ収容ボックス１９０は、規制側面１９１のスライド規制凸部１９２が挿入側となる取付開口１８２の左右両側端部分と係合する位置までスライド挿入されてボックス収納部１８１内の所定位置に収納される。また、このとき、汚れ収容ボックス１９０は、その底面外壁に突設された係合凸部１９４がボックス収納部１８１の係合固定部１８４と係合することで、ボックス収納部１８１内に固定される。なお、係合凸部１９４は、ボックス収納部１８１の底面に穿設された２つの底面切込部１８３のうち、汚れ収容ボックス１９０の挿入側面１９３側となる底面切込部１８３に設けられる係合固定部１８４と係合して、汚れ収容ボックス１９０を固定する（図１８参照）。
【００６２】
一方、汚れ収容ボックス１９０をガイド本体１７４のボックス収納部１８１から取り出す場合は、図２１及び図２２（Ｂ）に示すように、底面切込部１８３を通して汚れ収容ボックス１９０の底面を持ち上げることで係合凸部１９４と係合固定部１８４との係合状態を解除する。そして、この係合解除状態において、規制側面１９１側から汚れ収容ボックス１９０を引き抜くことで、汚れ収容ボックス１９０がボックス収納部１８１から取り出される。
【００６３】
ところで、上記した上部押さえローラ１７０、上部押さえローラガイド１７１、及び汚れ収容ボックス１９０は、それぞれ玉揚送装置１０内で生じた異物（実施形態中では、搬送ベルト１５の外周面に付着したパチンコ玉の汚れ）を回収する異物回収装置を構成するものであり、玉揚送装置１０は、横長の直方体状に枠組み形成されたパチンコ島台１の長手方向で左右方向となる設置の向きが生じる島内収納装置としてパチンコ島台１内に収納されるようになっている。
【００６４】
そして、異物回収装置の収容ボックスとなる汚れ収容ボックス１９０は、異物回収装置の取付ベースとなる上部押さえローラガイド１７１（ガイド本体１７４）のボックス収納部１８１に着脱自在に取り付けられる。また、ボックス収納部１８１は、パチンコ島台１の両側面（複数のパチンコ機２が列設される２つの面）とほぼ直交する方向に貫通した貫通孔から構成されると共に、当該貫通孔の両端部分がそれぞれ汚れ収容ボックス１９０のスライド挿入を可能にする取付開口１８２として形成される。このため、ボックス収納部１８１に対して汚れ収容ボックス１９０をいずれの方向（貫通孔の両端となるいずれの取付開口１８２）からもスライド挿入して収納することができるので、パチンコ島台１内に収納されて左右方向となる設置の向きが生じる玉揚送装置１０に対して、１種類の異物回収装置（上部押さえローラ１７０、上部押さえローラガイド１７１、及び汚れ収容ボックス１９０）を共通使用することができる。これにより、左右対称形状となる２種類の異物回収装置を用意する必要がなくなるため、異物回収装置の製造コストの増大や補充部品の在庫量の増大を回避することができ、さらには、異物回収装置の種類を間違って取付工事現場（遊技場）に輸送することがないので、取り付け作業の延滞を招くという問題を解消することができる。
【００６５】
なお、上記した実施形態（変形例３）では、パチンコ島台１の長手方向で左右方向となる設置の向きが生じる島内収納装置として玉揚送装置１０を例示すると共に、当該玉揚送装置１０内で生じた異物を回収する異物回収装置として上部押さえローラ１７０、上部押さえローラガイド１７１、及び汚れ収容ボックス１９０を例示しているが、島内収納装置及び異物回収装置は、この構成に限定するものではない。例えば、玉揚送装置以外の島内収納装置としては、回収樋や補給樋等の搬送樋であってもよい。即ち、本発明は、パチンコ島台内に収納されて左右方向となる設置の向きが生じる島内収納装置と、当該島内収納装置内で生じた異物を回収する異物回収装置であれば、いずれの構成にも適用が可能である。
【００６６】
以下、本発明に係る島内収納装置をパチンコ島台内でパチンコ玉を搬送する搬送樋である回収樋とした場合を他の実施形態として、図２３乃至図２５を参照して説明する。図２３は、他の実施形態に係る回収樋５’が適用されるパチンコ島台１’の一側から見た側面図であり、図２４は、他の実施形態に係る回収樋５’と該回収樋５’に取り付けられた異物回収装置２００とを示す斜視図であり、図２５は、他の実施形態に係る異物回収装置２００の収容ボックス２０１を取付ベース２０２から取り出した状態を示す斜視図である。但し、以下の説明では、前述した実施形態と同様の機能を有する構成装置については、便宜的に同一の符号を付記すると共に、その詳細な説明を省略するものである。
【００６７】
図２３に示すように、他の実施形態におけるパチンコ島台１’は、前述した実施形態のパチンコ島台１と同様に、横長の直方体状に枠組み構成され、その長手方向側面中央にパチンコ機２を背向列設し、パチンコ島台１’の中央部に設けられた揚送装置収納部３内には、玉揚送装置１０が収納設置されている。また、パチンコ島台１’内におけるパチンコ機２の設置位置の上方には、玉揚送装置１０の上部に設けられた上部タンクから左右に傾斜状に延びる補給樋４が設けられ、パチンコ島台１’内におけるパチンコ機２の設置位置の下方には、パチンコ機２のアウト玉回収箱１００及びパチンコ島台１’の島端に設けられた玉返却装置１０１から排出されるパチンコ玉をパチンコ島台１’の中央（玉揚送装置１０）側へ誘導する左右傾斜状の回収樋５’が設けられている。
【００６８】
上記した回収樋５’の下流端部には、当該回収樋５’内で生じた異物を回収するための異物回収装置２００が連結して設けられている。異物回収装置２００は、図２４に示すように、異物（例えば、回収樋５’に入り込んでしまったコインや回収樋５’で誘導するパチンコ玉の汚れ等）を収容可能な筐体形状をなす収容ボックス２０１と、該収容ボックス２０１を着脱自在に回収樋５’に取り付ける取付ベース２０２と、該取付ベース２０２の上面部分に設けられ、且つ回収樋５’と連通して配置される異物落下レール２０３と、から構成されている。
【００６９】
収容ボックス２０１は、図２５に示すように、上面開口を有する横長方形状の筐体からなり、その短手方向における一方の側面２０４（以下、これを規制側面２０４という）には、当該側面２０４の左右両側端からそれぞれ若干突出して形成されたスライド規制凸部２０５（スライド規制手段）が設けられている。このスライド規制凸部２０５は、収容ボックス２０１の短手方向における他方の側面２０６（以下、これを挿入側面２０６という）を後述する取付ベース２０２が形成するボックス収納部２１０の取付開口２１１からスライド挿入して取り付ける際、取付開口２１１の左右両側端部分（外周端部分）と当接係合することで収容ボックス２０１のスライド挿入を規制し、収容ボックス２０１をボックス収納部２１０内の所定位置に収納させるようになっている。また、収容ボックス２０１の底面外壁には、後述するボックス収納部２１０の係合固定部１８４と係合することで、収容ボックス２０１をボックス収納部２１０内に固定する係合凸部２０７（ボックス固定手段）が突設されている。また、収容ボックス２０１の規制側面２０４には、当該収容ボックス２０１をスライド操作するための取っ手２０８が設けられている。
【００７０】
一方、取付ベース２０２には、収容ボックス２０１を着脱自在に収納するためのボックス収納部２１０が形成されている。ボックス収納部２１０は、収容ボックス２０１を内嵌し得る貫通孔から構成され、その貫通孔の両端部分がそれぞれ収容ボックス２０１を取り付けるための取付開口２１１を形成している。即ち、収容ボックス２０１は、左右両側端のいずれの取付開口２１１からもスライド挿入が可能であり、この取付開口２１１からのスライド挿入によってボックス収納部２１０内に収納されるようになっている。
【００７１】
なお、ボックス収納部２１０を構成する貫通孔は、異物回収装置２００が取り付けられる回収樋５’のパチンコ島台１’内での設置の向きにより、パチンコ島台１’の両側面（複数のパチンコ機２が列設される２つの面）とほぼ直交する方向に貫通した状態で配置される。このため、回収樋５’の収納空間を開閉するための開閉扉である腰板（図示しない）が開放された状態では、ボックス収納部２１０の取付開口２１１が真っ直ぐに対向して配されるので、ボックス収納部２１０に対する収容ボックス２０１の出し入れ作業が容易に行えるようになっている。
【００７２】
また、ボックス収納部２１０の底面には、左右両側端の取付開口２１１からそれぞれ中央部分に向けて切り込まれた左右の底面切込部２１２が穿設されており、該底面切込部２１２の先端部分は、収容ボックス２０１の係合凸部２０７と係合することで、収容ボックス２０１をボックス収納部２１０内に固定する係合固定部２１３（ボックス固定手段）として形成されている。また、底面切込部２１２は、ボックス収納部２１０内に収納された収容ボックス２０１の底面を持ち上げるための切り込み部分としても機能するようになっており、このような底面の持ち上げによって係合凸部２０７と係合固定部２１３との係合状態を解除するようになっている。なお、ボックス収納部２１０の高さ寸法は、前記実施形態のボックス収納部１８１と同様に、底面切込部２１２を通して収容ボックス２０１の底面が持ち上げ可能なように、収容ボックス２０１の高さ寸法に比べて若干大きい値に設定されている。
【００７３】
また、異物落下レール２０３は、回収樋５’の傾斜に沿った傾斜状に配置され、回収樋５’から送り込まれるパチンコ玉を転動してパチンコ島台１’の中央（玉揚送装置１０）側へ誘導するようになっている。なお、異物落下レール２０３には、その横幅方向に沿って複数の仕切り壁２１４がパチンコ玉１個分程度の間隔を置いて立設されており、当該仕切り壁２１４によって区画された空間がそれぞれパチンコ玉を１個ずつ区分けして転動する転動レール部２１５を構成している。また、各転動レール部２１５の底壁部分には、それぞれパチンコ玉が落下しない程度の溝幅寸法で落下溝２１６が形成されている。
【００７４】
しかして、上記した異物回収装置２００は、回収樋５’から送り込まれたパチンコ玉を異物落下レール２０３上で転動してパチンコ島台１’の中央（玉揚送装置１０）側へ誘導する。このとき、回収樋５’から送り込まれるパチンコ玉に混じってコイン等の異物が送り込まれた場合、その異物は、異物落下レール２０３の落下溝２１６を通して取付ベース２０２（ボックス収納部２１０）に収納された収容ボックス２０１内に落下する。これにより、異物回収装置２００は、回収樋５’内で生じた異物を収容ボックス２０１内に回収するようになっている。また、収容ボックス２０１に回収された異物は、回収樋５’のメンテナンス時等に、収容ボックス２０１を取付ベース２０２（ボックス収納部２１０）から取り外すことで収容ボックス２０１内から取り出される。
【００７５】
以上説明したように、他の実施形態における異物回収装置２００は、横長の直方体状に枠組み形成されたパチンコ島台１’の長手方向で左右方向となる設置の向きが生じる島内収納装置である回収樋５’に取り付けられる。そして、異物回収装置２００を構成する収容ボックス２０１は、異物回収装置２００を構成する取付ベース２０２のボックス収納部２１０に着脱自在に取り付けられる。また、ボックス収納部２１０は、パチンコ島台１’の両側面（複数のパチンコ機２が列設される２つの面）とほぼ直交する方向に貫通した貫通孔から構成されると共に、当該貫通孔の両端部分がそれぞれ収容ボックス２０１のスライド挿入を可能にする取付開口２１１として形成される。このため、ボックス収納部２１０に対して収容ボックス２０１をいずれの方向（貫通孔の両端となるいずれの取付開口２１１）からもスライド挿入して収納することができるので、パチンコ島台１’内に収納されて左右方向となる設置の向きが生じる回収樋５’に対して、１種類の異物回収装置２００を共通使用することができる。これにより、左右対称形状となる２種類の異物回収装置２００を用意する必要がなくなるため、異物回収装置２００の製造コストの増大や補充部品の在庫量の増大を回避することができ、さらには、異物回収装置２００の種類を間違って取付工事現場（遊技場）に輸送することがないので、取り付け作業の延滞を招くという問題を解消することができる。
【００７６】
なお、以上説明した異物回収装置の構成では、収容ボックスの側面に突出形成されてボックス収納部の取付開口の外周端部分と当接係合するスライド規制凸部から本発明に係るスライド規制手段を構成すると共に、ボックス収納部の底面に穿設された底面切込部の先端部分となる係合固定部と、収容ボックスの底面外壁に突設されて係合固定部と係合する係合凸部と、から本発明に係るボックス固定手段を構成しているが、この構成に限定するものではない。例えば、図２６（Ａ）〜（Ｃ）に示す変形例４のように、収容ボックス２２０を着脱自在に取り付ける取付ベース２２１側にのみスライド規制手段とボックス固定手段とを設けるようにしてもよい。
【００７７】
変形例４の取付ベース２２１には、収容ボックス２２０をスライド挿入可能な左右の取付開口２２３を有する貫通孔からなるボックス収納部２２２が形成されている。ボックス収納部２２２の底面における左右の取付開口２２３の外周端部には、それぞれ収容ボックス２２０の両側面と個々に係合する係合爪２２４が突出形成されている。この係合爪２２４は、取付開口２２３の外周端部から撓み可能な弾性力を持って外方に突出する撓み部２２４ａと、該撓み部２２４ａの先端部分から上方に突設された爪部２２４ｂと、から構成されている。また、一方の係合爪２２４の爪部２２４ｂから他方の係合爪２２４の爪部２２４ｂまでの間隔は、収容ボックス２２０の挿入方向における全長寸法とほぼ同一に設定されている。
【００７８】
そして、図２６（Ａ），（Ｂ）に示すように、収容ボックス２２０を左右の取付開口２２３のいずれか一方からボックス収納部２２２内にスライド挿入する場合、収容ボックス２２０の底面部分が挿入側となる取付開口２２３の係合爪２２４（撓み部２２４ａ）を下方に撓ませてボックス収納部２２２内にスライド挿入される。その後は、図２６（Ｃ）に示すように、挿入側となる収容ボックス２２０の側面が挿入側とは反対側となる取付開口２２３の係合爪２２４（爪部２２４ｂ）と当接係合することでスライド挿入が規制される。また、これと同時に、収容ボックス２２０の底面部分による挿入側の係合爪２２４（撓み部２２４ａ）の撓みが解除されることで、挿入側とは反対側となる収容ボックス２２０の側面が挿入側の係合爪２２４（爪部２２４ｂ）と当接係合する。これにより、収容ボックス２２０は、そのスライド挿入が規制されてボックス収納部２２２内の所定位置で固定して収納される。また、収容ボックス２２０をボックス収納部２２２から取り出す際は、左右の係合爪２２４（撓み部２２４ａ）のいずれか一方を下方に撓み操作することで、係合爪２２４（爪部２２４ｂ）と収容ボックス２２０の側面との当接係合を解除し、この状態で収容ボックス２２０をボックス収納部２２２内から抜き出す。
【００７９】
即ち、変形例４の構成では、収容ボックス２２０を収納するボックス収納部２２２が形成された取付ベース２２１側の左右の係合爪２２４が、収容ボックス２２０のスライド挿入を規制するスライド規制手段と、収容ボックス２２０をボックス収納部２２２内に固定するボックス固定手段と、を構成するようになっている。
【００８０】
また、汚れ収容ボックスを上部押さえローラガイドに対して着脱自在に設けた構成としては、以下に示す変形例５の構成としてもよい。以下、変形例５の上部押さえローラ２３０、上部押さえローラガイド２３１、及び汚れ収容ボックス２５０について、図２７乃至図３４を参照して説明する。図２７は、変形例５における上部押さえローラ２３０、上部押さえローラガイド２３１、及び汚れ収容ボックス２５０が玉揚送装置に取り付けられた状態と、変形例５における上部押さえローラ２３０、上部押さえローラガイド２３１、及び汚れ収容ボックス２５０を分解した状態とを示す斜視図であり、図２８は、変形例５における上部押さえローラガイド２３１及び汚れ収容ボックス２５０を示す分解斜視図であり、図２９は、変形例５における上部押さえローラ２３０が上部押さえローラガイド２３１に取り付けられた状態を示す斜視図であり、図３０は、変形例５における上部押さえローラ２３０を取り付けた上部押さえローラガイド２３１に汚れ収容ボックス２５０が取り付けられた状態を示す斜視図であり、図３１は、変形例５における上部押さえローラ２３０が玉揚送装置１０に取り付けられた上部押さえローラガイド２３１に取り付けられる状態を示す斜視図であり、図３２は、変形例５における上部押さえローラ２３０、上部押さえローラガイド２３１、及び汚れ収容ボックス２５０が玉揚送装置１０に取り付けられた状態を示す斜視図であり、図３３は、変形例５における汚れ収容ボックスが上部押さえローラガイド２３１に取り付けられる状態を示す側面図であり、図３４は、変形例５における汚れ収容ボックス２５０と上部押さえローラガイド２３１の当接突起部２４０が当接する上部押さえローラ２３０とを示す側面図である。
【００８１】
図２７に示すように、変形例５の上部押さえローラ２３０は、前述した変形例３の上部押さえローラ１７０と同様に、その軸心方向に左右一対の回転軸２３２が一体的に設けられ、該回転軸２３２の先端には、軸頭部２３３が形成されている。また、上部押さえローラ２３０のローラ外周面は、変形例３の上部押さえローラ１７０と同様に、汚れの吸着性に優れた材料から形成されている。一方、変形例５の上部押さえローラガイド２３１は、図２８及び図２９に示すように、金属製の平板が上面視でコの字状に折曲形成されたガイド本体２３４を備えている。コの字状をなすガイド本体２３４の両側面には、それぞれ上部押さえローラ２３０の回転軸２３２を回転自在に軸支するためのローラ軸支部２３５が穿設されている。ローラ軸支部２３５は、上部押さえローラ２３０が搬送ベルト１５を押圧した状態で回転軸２３２を斜め上方から導入するための傾斜導入部２３６と、該傾斜導入部２３６の下端と連通して形成されると共に回転軸２３２と嵌合することで上部押さえローラ２３０を回転自在に軸支する軸支凹部２３７と、から構成されている。なお、上部押さえローラ２３０は、搬送ベルト１５の反発力に抗して回転軸２３２を軸支凹部２３７との嵌合状態から解除することにより、搬送ベルト１５によって押圧されて傾斜導入部２３６から取り外しが可能となっている。
【００８２】
ガイド本体２３４側面の各端部には、それぞれ上部押さえローラガイド２３１を揚送筒本体１２の両側面にボルト２３８で固定するための取付穴２３９が２箇所に穿設されている。ガイド本体２３４前面の内壁には、搬送ベルト１５を押さえ込んだ状態の上部押さえローラ２３０の外周面と当接する当接突起部２４０が上部押さえローラ２３０の全長に亘って設けられている。また、ガイド本体２３４側面の前面寄りの外壁には、それぞれ汚れ収容ボックス２５０を着脱自在に取り付けるためのボックス取付突起２４１が突設されている（図２８中には、一方のボックス取付突起２４１のみを図示）。
【００８３】
変形例５における汚れ収容ボックス２５０は、上面開口を有する横長方形状の筐体からなり、その長手方向における両側面の上側部分には、それぞれガイド本体２３４のボックス取付突起２４１との係合によって、汚れ収容ボックス２５０を上部押さえローラガイド２３１に取り付ける係合凹部２５１が穿設されている。また、汚れ収容ボックス２５０の短手方向における一側面の内壁上端には、図３０に示すように、汚れ収容ボックス２５０を上部押さえローラガイド２３１に取り付けた状態で、ガイド本体２３４の前面壁部分（当接突起部２４０の上方部分）と係合することにより、上部押さえローラガイド２３１に対して汚れ収容ボックス２５０を位置決め固定する断面「く」の字状の係止突片２５２が設けられている。なお、係合凹部２５１は、当該凹部を形成する上辺部分が係止突片２５２（汚れ収容ボックス２５０の短手方向における一側面）側に向かって上がり傾斜して形成されており、汚れ収容ボックス２５０を上部押さえローラガイド２３１に取り付ける際には、後で詳述するように係合凹部２５１の上辺部分に沿った斜め上方から係合凹部２５１内にボックス取付突起２４１を挿入するようにして汚れ収容ボックス２５０を上部押さえローラガイド２３１に取り付けるようになっている。
【００８４】
しかして、変形例５の上部押さえローラガイド２３１は、図３１及び図３２に示すように、ガイド本体２３４の取付穴２３９が揚送筒本体１２の両側面にボルト２３８の固定によって取り付けられ、当該上部押さえローラガイド２３１に対して、上部押さえローラ２３０と汚れ収容ボックス２５０とがそれぞれ取り付けられる。上部押さえローラ２３０の取付方法としては、上部押さえローラ２３０のローラ外周面で搬送ベルト１５を押し込みながら、上部押さえローラ２３０の回転軸２３２をローラ軸支部２３５の傾斜導入部２３６に導入し、最終的に、搬送ベルト１５の張力によって上部押さえローラ２３０が押し戻されることで回転軸２３２がローラ軸支部２３５の軸支凹部２３７に嵌合されて、上部押さえローラ２３０が上部押さえローラガイド２３１に軸支される。
【００８５】
また、汚れ収容ボックス２５０の取付方法としては、図３３に示すように、係合凹部２５１の上辺部分に沿った斜め上方から係合凹部２５１内に上部押さえローラガイド２３１のボックス取付突起２４１を挿入するようにして汚れ収容ボックス２５０が上部押さえローラガイド２３１に取り付けられる。また、このような斜め上方からの汚れ収容ボックス２５０の取り付けに際して、汚れ収容ボックス２５０の係止突片２５２が上部押さえローラガイド２３１を構成するガイド本体２３４の前面壁部分（当接突起部２４０の上方部分）と係合することで、汚れ収容ボックス２５０が上部押さえローラガイド２３１に対して位置決め固定して取り付けられる。
【００８６】
そして、上部押さえローラ２３０のローラ外周面は、搬送ベルト１５の周回に伴って回転軸２３２を中心に回転し、この回転動作中にその優れた吸着性能により搬送ベルト１５の外周面に付着したパチンコ玉の汚れを吸着して、搬送ベルト１５の汚れを除去する。その後、上部押さえローラ２３０のローラ外周面に吸着された汚れは、上部押さえローラ２３０の回転に伴い、ガイド本体２３４内の当接突起部２４０によって削ぎ落とされ、最終的に、ガイド本体２３４に取り付けられる汚れ収容ボックス２５０内に回収される。また、汚れ収容ボックス２５０に回収された汚れは、玉揚送装置１０のメンテナンス時等に、汚れ収容ボックス２５０をガイド本体２３４から取り外すことで汚れ収容ボックス２５０内から取り出される。
【００８７】
ところで、上記したガイド本体２３４内の当接突起部２４０は、図３４に示すように、上部押さえローラ２３０の回転軸２３２を中心として搬送ベルト１５と上部押さえローラ２３０との当接部分とほぼ対称となる位置であり、且つ、上部押さえローラ２３０の回転軸２３２を通る水平方向の延長線上の位置で上部押さえローラ２３０と当接するように配置されている。これにより、上部押さえローラ２３０が搬送ベルト１５の汚れを吸着する位置から最も遠い位置で上部押さえローラ２３０に付着した汚れを削ぎ落とすことができるので、削ぎ落とした汚れが再度搬送ベルト１５に付着してしまうことを確実に回避することができる。
【００８８】
また、汚れ収容ボックス２５０の短手方向における他側面となる搬送ベルト１５と対向する側の壁面２５３は、上部押さえローラ２３０の回転軸２３２よりも搬送ベルト１５寄りに配置されている。これにより、当接突起部２４０と上部押さえローラ２３０との当接部分の下方を覆うように配置された汚れ収容空間（汚れ収容ボックス２５０）を極力搬送ベルト１５寄りに広げて配置することができるので、当接突起部２４０と上部押さえローラ２３０との当接部分から落下する汚れをより確実に汚れ収容ボックス２５０内に回収することができる。
【００８９】
また、汚れ収容ボックス２５０の壁面２５３は、上部押さえローラ２３０との間で隙間２５４を設けて配置されている。これにより、上部押さえローラ２３０によって吸着された搬送ベルト１５の汚れが、当接突起部２４０で削ぎ落とされる前に汚れ収容ボックス２５０の壁面２５３で削ぎ落とされてしまい、結果として、汚れ収容ボックス２５０内に回収されなくなる不具合を回避することができる。なお、上部押さえローラ２３０は、搬送ベルト１５の下降に伴い、回転軸２３２を中心として図３４中の反時計方向に高速で回転するようになっている。具体的に、上部押さえローラ２３０は、搬送ベルト１５の下降に伴い、１分間で１３００回転するようになっている。このため、上部押さえローラ２３０の下方では、搬送ベルト１５側から汚れ収容ボックス２５０側に向かって空気の流れが起こり、上部押さえローラ２３０下方の隙間２５４内に空気が流れ込むようになっている。従って、汚れ収容ボックス２５０内に回収された汚れは、隙間２５４から外部に飛び出ることなく汚れ収容ボックス２５０内に押し留まるようになっている。
【００９０】
以上説明したように、上部押さえローラは、搬送ベルトとの当接によって搬送ベルトの汚れを吸着する。そして、上部押さえローラによって吸着された汚れ、即ち上部押さえローラに付着した汚れは、搬送ベルトとの当接部分以外となる部分で上部押さえローラと当接する当接除去手段によって削ぎ落とされて除去される。また、当接除去手段によって削ぎ落とされて落下する汚れは、当接除去手段と上部押さえローラとの当接部分の下方を覆うようにして配置された汚れ収容空間内に収容される。このため、搬送ベルトの外周面に付着した汚れ（例えば、搬送ベルトの上昇面で揚送したパチンコ玉の汚れ等）が循環的にパチンコ玉に付着するという不具合を解消することができ、結果として、搬送ベルトの汚れを効率よく且つ確実に取り除くことができる。また、この構成によれば、上部押さえローラで吸着した汚れを当接除去手段によって削ぎ落とすことで、部品交換や清掃作業等を行うことなく、常に上部押さえローラのローラ外周面を清潔に保つことができる。
【００９１】
また、上部押さえローラとの当接によって当該上部押さえローラに付着した汚れを削ぎ落として除去する当接除去手段を、上部押さえローラの回転軸を中心として搬送ベルトと上部押さえローラとの当接部分とほぼ対称となる位置に配置する。これにより、上部押さえローラが搬送ベルトの汚れを吸着する位置から最も遠い位置で上部押さえローラに付着した汚れを削ぎ落とすことができるので、削ぎ落とした汚れが再度搬送ベルトに付着してしまうことを確実に回避することができる。
【００９２】
また、上部押さえローラガイドにおける上部押さえローラの外周面と対向する内壁面に突設した当接突起部から当接除去手段を構成することで、上部押さえローラで吸着した搬送ベルトの汚れを当接除去手段によって削ぎ落とす構成を具現化することができる。
【００９３】
また、上部押さえローラガイドに対して着脱自在に設けられる汚れ収容ボックスから汚れ収容空間を構成することで、汚れ収容空間（汚れ収容ボックス）内に回収した汚れの取り出し作業が容易に行える。
【００９４】
また、汚れ収容ボックスの長手方向における両側面に穿設された係合凹部と、上部押さえローラガイドの両側面の外壁に突設されたボックス取付突起との係合及び係合解除によって、汚れ収容ボックスを上部押さえローラガイドに対して着脱自在な構成を具現化することができる。然も、汚れ収容ボックスを上部押さえローラガイドに取り付けた状態で、汚れ収容ボックスの短手方向における一側面に設けられた係止突片が、上部押さえローラガイドの前面壁部分と係合することにより、汚れ収容ボックスを上部押さえローラガイドに対して位置決め固定することができるので、玉揚送装置の揚送駆動中に発生する振動によって汚れ収容ボックスが正規の取り付け位置からズレることを回避できる。
【００９５】
更に、上部押さえローラの回転軸を通る水平方向の延長線上の位置で上部押さえローラと当接するように当接除去手段を配置する。そして、汚れ収容ボックスの短手方向における他側面となる搬送ベルトと対向する側の壁面を、上部押さえローラの回転軸よりも搬送ベルト寄りに配置する。これにより、当接除去手段と上部押さえローラとの当接部分の下方を覆うように配置された汚れ収容空間（汚れ収容ボックス）を極力搬送ベルト寄りに広げて配置することができるので、当接除去手段と上部押さえローラとの当接部分から落下する汚れをより確実に汚れ収容ボックス内に回収することができる。また、汚れ収容ボックスの短手方向における他側面となる搬送ベルトと対向する側の壁面を、上部押さえローラとの間で隙間を設けて配置することで、上部押さえローラによって吸着された搬送ベルトの汚れが、当接除去手段で削ぎ落とされる前に汚れ収容ボックスの壁面部分で削ぎ落とされてしまい、結果として、汚れ収容ボックス内に回収されなくなる不具合を回避することができる。
【符号の説明】
【００９６】
１，１’  パチンコ島台
２  パチンコ機
３  玉揚送装置収納部
５  回収樋
５’  回収樋
４  補給樋
７  カバー体
１０  玉揚送装置
１１  支持台
１２  揚送筒本体
１３  下部ローラ
１４  上部ローラ
１５  搬送ベルト
２０  ガイドレールカバー
２６  研磨ベルト
２８  モータ
３０  取付ベース
３１  第一テンションローラ
３２  第二テンションローラ
３３  第三テンションローラ
６０  上部押さえローラ
６１  回転軸
６３  上部押さえローラガイド
６６  傾斜導入部
６７  軸支凹部
１３０  上部押さえローラ
１３１  上部押さえローラガイド
１３７  当接突起部（当接除去手段）
１５０  上部押さえローラ
１５１  上部押さえローラガイド
１５７  傾斜導入部
１５８  軸支凹部
１６１  当接突起部（当接除去手段）
１７０  上部押さえローラ
１７１  上部押さえローラガイド
１７２  回転軸
１８０  当接突起部（当接除去手段）
１８１  ボックス収納部
１９０  汚れ収容ボックス（汚れ収容空間）
２３０  上部押さえローラ
２３１  上部押さえローラガイド
２３２  回転軸
２３６  傾斜導入部
２３７  軸支凹部
２４０  当接突起部（当接除去手段）
２４１  ボックス取付突起
２５０  汚れ収容ボックス（汚れ収容空間）
２５１  係合凹部
２５２  係止突片
【図１】
2010200963.tif 000003
【図２】
2010200963.tif 000004
【図３】
2010200963.tif 000005
【図４】
2010200963.tif 000006
【図５】
2010200963.tif 000007
【図６】
2010200963.tif 000008
【図７】
2010200963.tif 000009
【図８】
2010200963.tif 000010
【図９】
2010200963.tif 000011
【図１０】
2010200963.tif 000012
【図１１】
2010200963.tif 000013
【図１２】
2010200963.tif 000014
【図１３】
2010200963.tif 000015
【図１４】
2010200963.tif 000016
【図１５】
2010200963.tif 000017
【図１６】
2010200963.tif 000018
【図１７】
2010200963.tif 000019
【図１８】
2010200963.tif 000020
【図１９】
2010200963.tif 000021
【図２０】
2010200963.tif 000022
【図２１】
2010200963.tif 000023
【図２２】
2010200963.tif 000024
【図２３】
2010200963.tif 000025
【図２４】
2010200963.tif 000026
【図２５】
2010200963.tif 000027
【図２６】
2010200963.tif 000028
【図２７】
2010200963.tif 000029
【図２８】
2010200963.tif 000030
【図２９】
2010200963.tif 000031
【図３０】
2010200963.tif 000032
【図３１】
2010200963.tif 000033
【図３２】
2010200963.tif 000034
【図３３】
2010200963.tif 000035
【図３４】
2010200963.tif 000036